(57)【要約】【課題】目覚まし時計機能を有する貯金箱であって、目覚まし機能が作動すると、貯金箱に備えられたコイン投入口にコインを投入されるまで、目覚まし機能を作動させ続けるようにした貯金箱を提供する。【解決部】コインを投入可能とするコイン投入口と、前記コインを収容するコイン収容部とを備えた貯金箱であって、前記貯金箱には、時刻を表示する時刻表示部と、アラーム時刻を設定する入力部と、前記コイン投入口に投入されたコインを検出するコイン検出部と、指定した時刻を知らせる音となるアラーム音のデータを記憶した音声記憶部と、制御部から出力された信号に基づいて音声を発生させる音声出力部と、前記時刻指定部で指定された時刻になると、音声記憶部よりアラーム音を読み出し、前記コイン検出部がコインを検出するまで、該アラーム音を音声出力部に出力させ続ける制御部とを備えた。【選択図】図１
0003128199.tif 000002
【実用新案登録請求の範囲】
【請求項１】
本体部の上面にコイン投入口を有し、本体部の正面に現在時刻を表示する時刻表示部とアラーム時刻を表示するアラーム時刻表示部とを有すると共に、スピーカ穴を有し、本体部の側面には、複数のスイッチを備えた入力部を有し、本体部の内部をコイン収容部とすると共に、音声記憶部や制御部を組み込んだ制御回路を備え、前記コイン投入口の下方にコイン検出部を有し、前記制御部は、アラーム設定時には、アラーム音を発音し、コイン検出部がコインの通過を検出するとアラーム音の発音を停止させることを特徴とした貯金箱。
【請求項２】
請求項１において、前記音声記憶部には、コインが満杯になったことを知らせる音となる満杯音を記憶し、前記制御部は、コイン検出部がコインを検出し続けた状態を所定時間継続した時に、前記音声記憶部より満杯を知らせる満杯音を読み出し、音声出力部へと出力することを特徴とした貯金箱。
【請求項３】
請求項１又は２において、前記本体部の正面に、日付を表示する日付表示部を有することを特徴とした貯金箱。
【請求項４】
請求項３において、前記時刻表示部、日付表示部、アラーム時刻表示部は、それぞれ４つの７セグメントで構成されると共に、直線状に並べて配設されていることを特徴とした貯金箱。
【請求項５】
請求項３又は４において、前記本体部は、立方体形状に形成され、前記スピーカ穴は、正面中央近傍に形成され、前記時刻表示部、日付表示部及びアラーム時刻表示部は、正面下方に配設されていることを特徴とした貯金箱。
【請求項６】
請求項３乃至５のいずれか１項において、前記本体部の側面には、時刻を設定する時刻設定ボタンと、日付を設定する日付設定ボタンとを有することを特徴とした貯金箱。
【考案の詳細な説明】
【技術分野】
【０００１】
本考案は、目覚まし時計機能を有する貯金箱に関するものである。
【背景技術】
【０００２】
従来、目覚まし時計は、使用者が起床する時間を設定し、設定された時刻になるとアラーム音が鳴り、アラーム音を停止させる停止ボタンを操作して、アラーム音を停止できるようにできるようにされているものである。しかしながら、従来の目覚まし時計では、寝起きの悪い人は、無意識に停止ボタンを操作して、寝過ごしてしまうという欠点があった。これに対して、例えば、特開平９−２３００６７「目覚まし時計」の如く、目覚まし時計本体と、報知音を停止させる停止信号発信器で構成され、目覚まし時計本体と、停止信号発信器とを異なる部屋などに置くことによって、使用者が確実に起床できるようにしたものが提案されている。
【０００３】
また、従来、貯金箱は、コイン投入口とコイン収容部を有したもので、コインを投入することによってコイン収容部にコインが貯蓄されるものである。しかしながら、継続して、貯金箱にコインを貯蓄せず、放置されてしまうなどの欠点があった。これに対して、近年では、コインを投入することによって、コイン収容部内に貯蓄されている金額を表示するものや、コインを投入することによって、貯金箱に備えられた可動部を可動させるものなどの貯蓄を継続させる様々な貯金箱が提案されているものである。
【特許文献１】特開平９−２３００６７号公報
【考案の開示】
【考案が解決しようとする課題】
【０００４】
そこで、本考案は、上記従来技術の問題点に斯かる実情に鑑みなされたもので、目覚まし時計機能を有する貯金箱であって、目覚まし機能が作動すると、貯金箱に備えられたコイン投入口にコインを投入されるまで、目覚まし機能を作動させ続けるようにした貯金箱を提供することを課題とする。
【課題を解決するための手段】
【０００５】
請求項１に記載の考案は、本体部の上面にコイン投入口を有し、本体部の正面に現在時刻を表示する時刻表示部とアラーム時刻を表示するアラーム時刻表示部とを有すると共に、スピーカ穴を有し、本体部の側面には、複数のスイッチを備えた入力部を有し、本体部の内部をコイン収容部とすると共に、音声記憶部や制御部を組み込んだ制御回路を備え、前記コイン投入口の下方にコイン検出部を有し、前記制御部は、アラーム設定時には、アラーム音を発音し、コイン検出部がコインの通過を検出するとアラーム音の発音を停止させることを特徴とする。
【０００６】
請求項２に記載の考案は、請求項１において、前記音声記憶部には、コインが満杯になったことを知らせる音となる満杯音を記憶し、前記制御部は、コイン検出部がコインを検出し続けた状態を所定時間継続した時に、前記音声記憶部より満杯を知らせる満杯音のデータを読み出し、音声出力部へと出力することを特徴とする。
【０００７】
請求項３に記載の考案は、請求項１又は２において、前記本体部の正面に、日付を表示する日付表示部を有することを特徴とする。
【０００８】
請求項４に記載の考案は、請求項３において、前記時刻表示部、日付表示部、アラーム時刻表示部は、それぞれ４つの７セグメントで構成されると共に、直線状に並べて配設されていることを特徴とする。
【０００９】
請求項５に記載の考案は、請求項３又は４において、前記本体部は、立方体形状に形成され、前記スピーカ穴は、正面中央近傍に形成され、前記時刻表示部、日付表示部及びアラーム時刻表示部は、正面下方に配設されていることを特徴とする。
【００１０】
請求項６に記載の考案は、請求項３乃至５のいずれか１項において、前記本体部の側面には、時刻を設定する時刻設定ボタンと、日付を設定する日付設定ボタンとを有することを特徴とする。
【考案の効果】
【００１１】
請求項１の考案によれば、アラーム時刻にアラーム音が出力されると、コイン投入口にコインを投入するまで、アラーム音が出力され続けるようにすることができる。これにより、コインや硬貨を、より効率的に貯蓄することができる貯金箱とすることができると共に、コインを投入させるという行為を、起床の際に行わせることによって、無意識に目覚ましを解除するようなことを防ぐことができ、確実に起床させることができるものである。
【００１２】
請求項２の考案によれば、コインが満杯になったことを知らせる音となる満杯音を音声記憶部に記憶させ、コイン検出部がコインを検出し続けた状態を所定時間継続した時に、前記音声記憶部より満杯を知らせる満杯音を読み出し、音声出力部へと出力することによって、貯金箱内のコイン収容部が満杯であることを報知することができる。
【００１３】
請求項３の考案によれば、日付を表示する日付表示部を備えることによって、現在の日付を表示して確認できるようになる。
【００１４】
請求項４の考案によれば、前記時刻表示部、日付表示部、アラーム時刻表示部は、それぞれ４つの７セグメントで構成されると共に、直線状に並べて配設させることによって、アラーム音を報知する際に、４つの７セグメントを利用して、電光飾として使用でき、使用者の趣向を高めることができる。
【００１５】
請求項５の考案によれば、立方体形状とすることによって、貯金箱として重心が安定する。
【００１６】
請求項６の考案によれば、時刻を設定する時刻設定ボタンと、日付を設定する日付設定ボタンとを備えることによって、容易に日付や時刻を設定できるようになる。
【考案を実施するための最良の形態】
【００１７】
立方体形状とされる本体部の上面にコイン投入口を有し、本体部の正面に現在時刻を表示する時刻表示部とアラーム時刻を表示するアラーム時刻表示部とを有すると共に、スピーカ穴を有し、本体部の側面には、複数のスイッチを備えた入力部を有し、本体部の内部をコイン収容部とすると共に、音声記憶部や制御部を組み込んだ制御回路を備え、前記コイン投入口の下方にコイン検出部を有し、前記制御部は、アラーム設定時には、アラーム音を発音し、コイン検出部がコインの通過を検出するとアラーム音の発音を停止させるものである。また、制御部は、コイン検出部がコインを検出し続けた状態を所定時間継続した時に、前記音声記憶部より満杯を知らせる満杯音を読み出し、音声出力部へと出力するものである。
【００１８】
そして、本体部の正面には、更に日付を表示する日付表示部を有し、前記時刻表示部、日付表示部、アラーム時刻表示部は、それぞれ４つの７セグメントで構成されると共に、本体部正面下方に直線状に並べて配設されることもある。
【実施例１】
【００１９】
以下、図面を参照して本考案に係る貯金箱の一実施例を詳細に説明する。本考案の貯金箱は、貯金箱としてのコインとなる硬貨を貯蓄する機能と、目覚まし時計としての目覚まし機能及び時計機能とを有しているものである。また、この貯金箱を使用することによって、容易に貯蓄を継続することができると共に、寝ぼけた状態となる無意識の状態で目覚まし機能を停止できないようにし、確実に目覚めさせることができるものである。
【００２０】
図１は、貯金箱本体１０の外観を示している。貯金箱本体１０は、図１（Ａ）に示すように略立方体形状で、樹脂形成され、貯金箱本体１０内部は、コインを収容するコイン収容部となっている。この貯金箱本体１０の上面の略中央に方形状の開口が形成され、コインを投入可能とするコイン投入口３２となっている。また、貯金箱本体１０の正面の下方には、左から日付表示部１６と時刻表示部１４及びアラーム時刻表示部１８が一直線上に並べて配置されている。また、貯金箱本体１０の正面中央には、複数の穴からなるスピーカ穴２８形成され、そのスピーカ穴２８の近傍に音声出力部２６となるスピーカが内設されている。そして、貯金箱本体１０の右側面の下方には、左から＋ボタン５２、−ボタン５４、日付設定ボタン４８、時刻設定ボタン４６、アラーム時刻設定ボタン５０が一直線上に並べて配置されている。また、裏面には、図示しないが外部から電源供給する為の接続端子が設けられている。
【００２１】
また図１（Ｂ）に示すように貯金箱本体１０の底面には、その底面の中央から一側まで延びる方形状の開口となる取り出し開口５６が形成されている。この取り出し開口５６の一部を塞ぐように、貯金箱本体１０を電池駆動させる際に使用する電池ボックス５８が設けられている。そして取り出し開口５６には、取り出し開口５６と略同一の大きさとなる底蓋６０が摺動及び脱着自在とされ、取り出し開口５６を開閉できるようにされているものである。また、図示しないが貯金箱本体１０内には、音声記憶部や制御部を組み込んだ制御回路が内設されている。
【００２２】
そして、コイン投入口３２の直下にコイン投入路３４が形成され、コイン投入路３４は、断面を薄肉方形状とした筒形状に形成されている。このコイン投入路３４の短手方向の両側面には、図２に示すように光学センサ４０の光を照射する為の穿孔３６がそれぞれ形成されており、コインがコイン投入路３４内を通過することによって該穿孔３６を遮蔽し、光学センサ４０の光を遮るようになっている。また、このコイン投入路３４は、斜め下方に向けて配設され、コインの落下速度を減速させることによって、光学センサ４０が確実にコインを検出できるようにしているものである。そして、コイン投入路３４に形成された穿孔３６は、コイン投入口３２からやや離れた位置に形成され、コイン投入口３２からの光の照射による誤動作を防ぐようにされている。
【００２３】
また、使用者によって投入されるコインは、貯金箱本体１０の上面の略中央に形成されたコイン投入口３２及びコイン投入口３２の直下に位置するコイン投入路３４を介して、貯金箱本体１０内部に形成されるコイン収容部３８に収容されるようになっている。
【００２４】
本考案の貯金箱のブロック図となる図３を用いて、貯金箱の構成を説明する。貯金箱本体１０は、入力部４４、コイン検出部３８、音声記憶部２０、音声出力部２６、表示部１２及び制御部３０で構成されている。
【００２５】
入力部４４は、時刻設定ボタン４６と、日付設定ボタン４８と、アラーム時刻設定ボタン５０、＋ボタン５２及び−ボタン５４で構成され、それぞれのボタンを押すことによって、入力信号が制御部３０に出力されるものである。この時刻設定ボタン４６、日付設定ボタン４８及びアラーム時刻設定ボタン５０は、それぞれ当該ボタンを押すことによって、それぞれのボタンに対応した時刻、日付及びアラーム時刻の時刻設定を開始することができるものである。そして、＋ボタン５２及び−ボタン５４は、時刻設定ボタン４６と日付設定ボタン４８及びアラーム時刻設定ボタン５０のいずれかが押され時刻設定が開始された際に、それぞれ当該ボタンを押すことによって、時刻となる数値を上下させ時刻設定可能とするものである。
【００２６】
コイン検出部３８は、貯金箱本体１０のコイン投入口３２の下方に位置するコイン投入路３４に設けられ、該コイン投入路３４を通過するコインを光学センサ４０で検出するものである。このコイン検出部３８がコインの通過を検出すると、制御部３０に検出信号を出力するものである。また、コイン検出部３８は、コインが光学センサ４０を継続して遮蔽している間、制御部３０に検出信号として出力し続けるものである。
【００２７】
表示部１２は、時刻表示部１４、日付表示部１６及びアラーム時刻表示部１８で構成され、制御部３０からの表示信号に基づいて表示されるものである。この時刻表示部１４は、現在時刻を表示し、日付表示部１６は、現在の日付を表示する。またアラーム時刻表示部１８は、設定されたアラーム時刻を表示するものである。そして、時刻表示部１４、日付表示部１６、アラーム時刻表示部１８は、それぞれ４つの７セグメントで構成され、表示されるものである。
【００２８】
音声出力部２６は、制御部３０からの出力された音声信号に基づいて音声出力されるものであり、実施例の音声出力部２６は、スピーカである。
【００２９】
音声記憶部２０は、指定した時刻を知らせる音となるアラーム音やコインが満杯になったことを知らせる音となる満杯音となる音声信号のデータが記憶されている記憶媒体であり、読み出し可能な記憶媒体に記憶されている。
【００３０】
制御部３０は、入力部４４からの入力信号を処理し、表示部１２及び音声出力部２６に表示信号及び音声信号を出力するものである。また制御部３０は、アラーム時刻設定ボタン５０で設定された時刻になると、音声記憶部２０よりアラーム音のデータを読み出し、コイン検出部３８がコインを検出するか、所定の時間を経過するまで、該アラーム音を音声出力部２６に出力させ続け、アラーム時刻を報知するものである。そして、コインをコイン投入口３２に投入した際に、コイン検出部３８がコインを検出し続けた状態が所定時間継続した時に、音声記憶部２０より満杯を知らせる満杯音のデータを読み出し、音声出力部２６へと出力し、貯金箱内のコインが満杯であることを報知するものである。
【００３１】
この貯金箱の動作の説明を行う。予め貯金箱の時計機能となる日付及び時刻を、日付設定ボタン４８や時刻設定ボタン４６と＋ボタン５２及び−ボタン５４を用いて、現在時刻に合わせて、貯金箱本体１０の時刻の設定を行う。次に、アラーム時刻をアラーム時刻設定ボタン５０と＋ボタン５２及び−ボタン５４を用いて設定を行う。４つの７セグメントで構成されたアラーム時刻表示部１８には、現在設定されている時刻となる時間２桁の数値と分２桁の数値の計４桁の数値が表示されており、アラーム時刻設定ボタン５０を押すと、時間を示す２桁の数値が点滅状態となり、アラーム時刻設定状態になる。この状態で、＋ボタン５２若しくは−ボタン５４を押すと、押されたボタンに応じて、時間を示す２桁の数値が変動するものであり、起床する時間に数値を変動させる。その後、再びアラーム時刻設定ボタン５０を押すと、時間を示す２桁の数値は点灯状態となり、分を示す２桁の数値が点滅状態となる。先の時間設定と同様に＋ボタン５２若しくは−ボタン５４を押すと、押されたボタンに応じて、分を示す２桁の数値が変動するものであり、起床する分に数値を変動させる。その後、アラーム時刻設定ボタン５０を押すと、分を示す２桁の数値は、点灯状態となりアラーム時刻設定は完了する。
【００３２】
また、アラーム時刻設定ボタン５０を長押しすることにより、目覚まし機能をＯＮ／ＯＦＦさせることができ、目覚まし機能がＯＦＦの時には、アラーム時刻表示部１８に、アラーム設定時刻の表示が行われないようになっている。
【００３３】
そして、設定されたアラーム時刻になると、貯金箱本体１０の制御部３０は、音声記憶部２０よりアラーム音のデータを読み出し、コイン検出部３８がコインを検出するか、所定の時間（５分間）を経過するまで、該アラーム音のデータを音声出力部２６に出力し続け、アラーム時刻の報知をする。また、アラーム時刻になった際に、一直線上に並んだ、日付表示部１６、時刻表示部１４及びアラーム時刻表示部１８の１２個の７セグメントを利用して、電光飾として表示させ、音だけでなく、光によってもアラーム時刻を報知できるものである。例えば、図４に示すように「００」の数値を、左から右に流れるように表示するようにすることもできる。
【００３４】
また、コインをコイン投入口３２に投入した際に、コイン検出部３８がコインを検出し続けた状態が所定時間継続した時に、音声記憶部２０より満杯を知らせる満杯音を読み出し、音声出力部２６へと出力され、使用者を褒め称えるような音によって、貯金箱のコイン収容部３８内のコインが満杯であることを報知するものである。
【００３５】
このように、アラーム音を停止させる為にコインや硬貨を投入させることによって、効率的に貯蓄を促すことができる貯金箱とすることができると共に、コインを投入させるという行為を、起床の際に行わせることによって、無意識に目覚ましを解除するようなことを防ぐことができ、確実に起床させることができるものである。
【００３６】
以上説明したように、目覚まし時計機能を有する貯金箱であって、目覚まし機能が作動すると、貯金箱に備えられたコイン投入口にコインを投入されるまで、目覚まし機能を作動させ続けるようにした貯金箱を提供することが可能である。このように、好ましい実施例を挙げて本考案を説明したが、本考案はその実施例に限定されるものではなく、本考案の要旨の範囲内で種々に改変できる。
【図面の簡単な説明】
【００３７】
【図１】本考案の一実施例である貯金箱の外観を示す斜視図面である。
【図２】本考案の一実施例である貯金箱のコイン投入口の断面図である。
【図３】本考案の一実施例である貯金箱のブロック図である。
【図４】本考案の一実施例である貯金箱の表示部を示す図である。
【符号の説明】
【００３８】
１０  貯金箱本体
１２  表示部
１４  時刻表示部
１６  日付表示部
１８  アラーム時刻表示部
２０  音声記憶部
２６  音声出力部
２８  スピーカ穴
３０  制御部
３２  コイン投入口
３４  コイン投入路
３６  穿孔
３８  コイン検出部
４０  光学センサ
４２  コイン収容部
４４  入力部
４６  時刻設定ボタン
４８  日付設定ボタン
５０  アラーム時刻設定ボタン
５２  ＋ボタン
５４  −ボタン
５６  取り出し開口
５８  電池ボックス
６０  底蓋
【図１】
0003128199.tif 000003
【図２】
0003128199.tif 000004
【図３】
0003128199.tif 000005
【図４】
0003128199.tif 000006